(57)【要約】【課題】好適な撮影を実現し得るレンズ鏡筒及び光学機器を提供する。【解決手段】本発明のレンズ鏡筒は、光を通過させる光学系（４）と、前記光学系（４）の少なくとも一部を覆う筒状部材（２ａ）と、前記筒状部材（２ａ）の外面の第１位置から前記第１位置とは異なる第２位置まで延在する延在部を有し、前記第１位置と前記第２位置との間の撮影者により接触された部分の位置を検出するセンサ（５）と、を備えることを特徴とする。【選択図】図１
2010020250.tif 000002
【特許請求の範囲】
【請求項１】
光を通過させる光学系と、
前記光学系の少なくとも一部を覆う筒状部材と、
前記筒状部材の外面の第１位置から前記第１位置とは異なる第２位置まで延在する延在部を有し、前記第１位置と前記第２位置との間の撮影者により接触された部分の位置を検出するセンサと、
を備えることを特徴とするレンズ鏡筒。
【請求項２】
光を通過させる光学系と、
前記光学系の少なくとも一部を覆う筒状部材と、
第１方向の長さが前記第１方向に交差する第２方向の長さよりも長く、前記第２方向に間隔を隔てて前記筒状部材の外面に複数備えられ接触を検知するセンサと、
を備えることを特徴とするレンズ鏡筒。
【請求項３】
請求項２に記載されたレンズ鏡筒であって、
前記複数のセンサのそれぞれは異なる形状を有すること、
を特徴とするレンズ鏡筒。
【請求項４】
請求項１から請求項３までの何れか１項に記載されたレンズ鏡筒であって、
前記センサは、前記筒状部材の軸方向又は周方向に沿って備えられていること、
を特徴とするレンズ鏡筒。
【請求項５】
請求項１から請求項４までの何れか１項に記載されたレンズ鏡筒であって、
前記センサの出力に応じて制御を行う制御部を備えること、
を特徴とするレンズ鏡筒。
【請求項６】
請求項５に記載されたレンズ鏡筒であって、
前記制御部は、前記センサの出力に応じて、ズーム位置、絞り、シャッタースピード、露出補正、及び、フォーカス位置のうちの少なくとも１つを制御すること、
を特徴とするレンズ鏡筒。
【請求項７】
請求項５に記載されたレンズ鏡筒であって、
前記制御部は、前記センサの出力に応じて、ＡＦロック、ＡＦスタート、ＡＥロックのうちの少なくとも１つの制御をすること、
を特徴とするレンズ鏡筒。
【請求項８】
請求項１から請求項７までの何れか１項に記載されたレンズ鏡筒であって、
前記筒状部材の外面をスライド可能な、前記センサを覆うカバー部材を備えること、
を特徴とするレンズ鏡筒。
【請求項９】
請求項８に記載されたレンズ鏡筒であって、
前記カバー部材は、前記筒状部材の外面を周方向に沿ってスライド可能で、そのスライドにより前記センサの周方向の一部を露出させるとともに他の一部を覆うこと、
を特徴とするレンズ鏡筒。
【請求項１０】
請求項１から請求項９までの何れか１項に記載されたレンズ鏡筒を含むこと、
を特徴とする光学機器。
【請求項１１】
請求項１０に記載された光学機器であって、前記レンズ鏡筒に接続される撮影装置を有し、
前記レンズ鏡筒は、前記センサの出力を出力する出力部を有し、
前記撮影装置は、前記出力部を介して供給された前記センサの出力に応じて前記光学系の位置を制御する制御部を有すること、
を特徴とする光学機器。
【発明の詳細な説明】
【技術分野】
【０００１】
本発明は、レンズ鏡筒、及びそれを備えた光学機器に関するものである。
【背景技術】
【０００２】
従来、ＡＦ（オートフォーカス）スタートボタン等の操作ボタンが、レンズ鏡筒の外周に設けられたリング部材に配置されているレンズ鏡筒がある。このリング部材を回転することで、操作ボタンのレンズ鏡筒本体に対する相対的位置を調整することができるようになっている（例えば、特許文献１参照）。
【特許文献１】特開平１０−１６０９９５号公報
【発明の開示】
【発明が解決しようとする課題】
【０００３】
しかし、特定の姿勢、例えばカメラを横位置に保持した場合に使用しやすいように操作ボタンの位置を調整しても、カメラを縦位置に持ち替えた場合、操作がしにくくなるという問題がある。また、カメラの保持状態を変化させるたびにリング部材を回転するのでは操作が煩雑になる。
【０００４】
本発明の課題は、好適な撮影操作を実現し得るレンズ鏡筒及び光学機器を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、光を通過させる光学系（４）と、前記光学系（４）の少なくとも一部を覆う筒状部材（２ａ）と、前記筒状部材（２ａ）の外面の第１位置から前記第１位置とは異なる第２位置まで延在する延在部（５ｂ，５０ｅ)を有し、前記第１位置と前記第２位置との間の撮影者により接触された部分の位置を検出するセンサ（５,５０，５１，５２)と、を備えることを特徴とするレンズ鏡筒(２)である。
請求項２に記載の発明は、光を通過させる光学系（４）と、前記光学系（４）の少なくとも一部を覆う筒状部材（２ａ）と、第１方向の長さが前記第１方向に交差する第２方向の長さよりも長く、前記第２方向に間隔を隔てて前記筒状部材（２ａ）の外面に複数備えられ接触を検知するセンサ（５１，５２）と、を備えることを特徴とするレンズ鏡筒（２）である。
請求項３に記載の発明は、請求項２に記載されたレンズ鏡筒(２)であって、前記複数のセンサ（５１，５２）のそれぞれは異なる形状を有すること、を特徴とするレンズ鏡筒(２)である。
請求項４に記載の発明は、請求項１から請求項３までの何れか１項に記載されたレンズ鏡筒(２)であって、前記センサ（５,５０，５１，５２)は、前記筒状部材（２ａ）の軸方向又は周方向に沿って備えられていること、を特徴とするレンズ鏡筒(２)である。
請求項５に記載の発明は、請求項１から請求項４までの何れか１項に記載されたレンズ鏡筒(２)であって、前記センサ（５,５０，５１，５２)の出力に応じて制御を行う制御部（７，８）を備えること、を特徴とするレンズ鏡筒(２)である。
請求項６に記載の発明は、請求項５に記載されたレンズ鏡筒(２)であって、前記制御部（７，８）は、前記センサ（５,５１，５２)の出力に応じて、ズーム位置、絞り、シャッタースピード、露出補正、及び、フォーカス位置のうちの少なくとも１つを制御すること、を特徴とするレンズ鏡筒(２)である。
請求項７に記載の発明は、請求項５に記載されたレンズ鏡筒(２)であって、前記制御部（７，８）は、前記センサ（５,５０，５１，５２)の出力に応じて、ＡＦロック、ＡＦスタート、ＡＥロックのうちの少なくとも１つの制御をすること、を特徴とするレンズ鏡筒(２)である。
請求項８に記載の発明は、請求項１から請求項７までの何れか１項に記載されたレンズ鏡筒(２)であって、前記筒状部材（２ａ）の外面をスライド可能な、前記センサ（５）を覆うカバー部材（６，６０）を備えること、
を特徴とするレンズ鏡筒（２）。
請求項９に記載の発明は、請求項８に記載されたレンズ鏡筒(２)であって、前記カバー部材（６）は、前記筒状部材（２ａ）の外面を周方向に沿ってスライド可能で、そのスライドにより前記センサ（５）の周方向の一部を露出させるとともに他の一部を覆うこと、を特徴とするレンズ鏡筒(２)である。
請求項１０に記載の発明は、請求項１から請求項９までの何れか１項に記載されたレンズ鏡筒(２)を含むこと、を特徴とする光学機器（１）である。
請求項１１に記載の発明は、請求項１０に記載された光学機器（１）であって、前記レンズ鏡筒(２)に接続される撮影装置（３）を有し、前記レンズ鏡筒(２)は、前記センサ（５）の出力を出力する出力部（７）を有し、前記撮影装置（３）は、前記出力部（７）を介して供給された前記センサ（５）の出力に応じて前記光学系（４）の位置を制御する制御部（８）を有すること、を特徴とする光学機器（１）である。
なお、符号を付して説明した構成は、適宜改良してもよく、また、少なくとも一部を他の構成物に代替してもよい。
【発明の効果】
【０００７】
本発明によれば、カメラの保持状態にかかわらず、操作しやすい操作部を備えるレンズ鏡筒及び光学機器を提供することができる。
【発明を実施するための最良の形態】
【０００８】
以下、図面等を参照して、本発明の実施形態について説明する。なお、以下に示す各図には、説明と理解を容易にするために、適宜ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
（第１実施形態）
図１は、第１実施形態のレンズ鏡筒２を備えたデジタル式一眼レフカメラ１の全体を示す斜視図である。レンズ鏡筒２は、図示しないレンズマウントを介してカメラボディ３に着脱自在に搭載されている。なお、本実施形態では、レンズ鏡筒２を備えるデジタル式一眼レフカメラ１について説明するが、いわゆるコンパクトカメラ、ビデオカメラや携帯電話であってもよい。
【００１０】
レンズ鏡筒２は、先端筒２ａと、ピントリング２ｂと、レンズ鏡筒２の内部に配置された光学系４と、を備える。先端筒２ａは、進退するが回転しない筒部材であり、その外周面には凹部２ｃが形成されている。その凹部２ｃには後述するテープスイッチ５及び該テープスイッチ５を部分的に覆うスイッチカバー６が配置されている。なお、本実施形態でテープスイッチ５は、回転しない先端筒２ａに配置したが、これに限定されず、例えば回転する操作環、例えばピントリング２ｂに設けてもよい。
【００１１】
図２は、レンズ鏡筒２に含まれる各部材と、カメラボディ３に含まれる各部材とを示すブロック図である。図示するように、レンズ鏡筒２側及びカメラボディ３側にはそれぞれレンズ制御回路７とカメラ制御回路８が設けられている。レンズ制御回路７には、上述したテープスイッチ５に加えて、いずれも周知の設定スイッチ７ａ、ＡＦモータ７ｂ、手ブレ補正モータ７ｃ、距離エンコーダ７ｄ、ズームエンコーダ７ｅ、加速度センサ７ｆ等が電気的に接続されている。また、カメラ制御回路８には、同様に周知のメイン電子ダイヤル８ａ、サブ電子ダイヤル８ｂ、操作ボタン８ｃ、シーケンスモータ８ｄ、ＡＥ・ＡＦセンサ８ｅ、撮像回路８ｆ、電源回路８ｇ等が電気的に接続されている。
【００１２】
次に、図３を参照して、先端筒２ａの外周面に設けられた凹部２ｃ内に配置されたテープスイッチ５について説明する。図３（ａ）は、テープスイッチ５の概略平面図であり、図３（ｂ）は、図３（ａ）のＩＩＩ−ＩＩＩ線に沿ったテープスイッチ５の断面図である。
【００１３】
テープスイッチ５は、公知の抵抗膜式タッチパネルと同様の方式のもので、所定の長さを有する帯状のスイッチ基板５ａと、該スイッチ基板５ａを覆うスイッチゴム５ｂとを有している。スイッチゴム５ｂ内には、帯状の下部電極５ｃと、絶縁性のスペーサ５ｄを介して下部電極５ｃの上方に配置される上部電極５ｅとが設けられている。下部電極５ｃ及び上部電極５ｅは電気配線５ｆを介して検出回路５ｇに接続されており、該検出回路５ｇの出力は上述のレンズ制御回路７に接続されている。
【００１４】
テープスイッチ５の下部電極５ｃには、その両端から電圧がかけられるようになっており、下部電極５ｃ内には、図３（ａ）において長手方向に電位勾配が生じている。撮影者がテープスイッチ５の上面をスイッチゴム５ｂの上から押すと、上部電極５ｅが下部電極５ｃに接触する。この接触点の電圧は、下部電極５ｃの電位勾配に応じた電圧であるため、接触点の電圧を測定することによりその接触位置を知ることができる。
【００１５】
テープスイッチ５には、カメラ制御回路８及びレンズ制御回路７等を介して、種々の機能を割り当てることができる。このテープスイッチ５は、上述したように接触位置の電圧を測定することができるので、最初に接触した接触点を基準として、例えば、接触したまま、指をずらす等することにより、移動量の検出を行うこともできる。したがってテープスイッチ５には、段階的もしくは連続的に変化する量を制御する機能を割り当てることができ、本実施形態では、一例としてこのテープスイッチ５に絞り値の設定の機能が割り当てられている。
【００１６】
図４（ａ）及び（ｂ）は、上述したテープスイッチ５のスイッチカバー６を説明する断面図である。レンズ鏡筒２の先端筒２ａには周方向に沿って上述の凹部２ｃが一周にわたり形成されている。その凹部２ｃの内部において３６０度にわたりテープスイッチ５が設けられている。
【００１７】
そして、テープスイッチ５の上面を覆うようにスイッチカバー６が図４（ａ）の矢印９で示すように周方向にスライド可能に設けられている。スイッチカバー６は、約２７０°にわたりテープスイッチ５を覆っている。したがってほぼ９０°にわたりテープスイッチ５が露出している。スイッチカバー６を回すことにより、カバーされるテープスイッチ５の部分の位置を操作に都合の良いように変更することができる。上述した凹部２ｃの幅、即ち、Ｚ方向の寸法は、指先がテープスイッチ５の上面に確実に接触しうる程度でよい。
【００１８】
次に、本実施形態のレンズ鏡筒２を備えたカメラ１の動作について説明する。撮影時において撮影者は、右手でカメラボディ３の図１に示すＸマイナス方向のシャッターボタン１ａ側を把持し、左手の掌でレンズ鏡筒２の下側を支持する。そして、左手の例えば親指でテープスイッチ５を押すことにより、下部及び上部電極５ｃ、５ｅ（図３）を接触させてオンにする。撮影者は、その接触位置から指を接触移動させると、電極間の電圧が検出回路５ｇにより検出され、それがレンズ制御回路７に送信されて絞り値に換算される。その絞り値情報に基づき、レンズ制御回路７は絞り（図示せず）を操作し、またカメラ制御回路８を介して絞り値をファインダー（図示せず）やカメラ１の肩部に設けられた液晶表示部１ｃ等に表示する。撮影者は、希望する絞り値となった位置で接触移動を停止する。そうすると、カメラ１は、適切な露出を与えるために、この絞り値に適したシャッタースピードに設定される。
【００１９】
また、カメラ１を図１の正位置から例えば左側に９０°回転させて縦位置の姿勢で撮影する場合、左手の指先で操作しやすい位置にあるテープスイッチ５の部分がスイッチカバー６で覆われているので、誤ってテープスイッチ５を操作することがない。この縦位置で、絞り値を変更したい場合は、スイッチカバー６を回転方向に合わせて９０°スライドして、左手の指先で操作しやすい位置にあるテープスイッチ５の部分を開放する。その後、前述した操作を行って絞り値を再設定する。
【００２０】
この実施形態によると、以下の効果を有する。
（１）テープスイッチ５は、先端筒２ａの周方向を３６０度にわたって設けられているので、何れの位置でも接触を検知することができる。このため、カメラ１の保持姿勢を変えても、容易に操作することができる。また、左利きの撮影者も含め、種々の撮影者のニーズに対する融通性を増すことができる。
【００２１】
（２）テープスイッチ５は、接触された部分の位置を検出可能であり、その位置からの相対的な接触移動の量に基づいて、テープスイッチ５による操作量を求めることができる。したがって、段階的もしくは連続的に変化する量を制御する機能である、例えばズーム位置、絞り、シャッタースピード、露出補正又はフォーカス位置等の操作をテープスイッチ５に割り当てることができる。
【００２２】
（３）テープスイッチ５を覆うスイッチカバー６を設けることによって、撮影者がカメラ１の保持位置を変えた場合、テープスイッチ５の使いやすい領域のみが開放するようにスイッチカバー６をスライドすることができる。その他の領域はスイッチカバー６で覆われているので、カメラを支持する撮影者の手が誤ってテープスイッチを操作するようなことがない。
【００２３】
（４）スイッチカバー６は、先端筒２ａの外面を周方向に沿ってスライド可能で、そのスライドによりテープスイッチ５の周方向の一部を露出させるとともに他の一部を覆うようになっている。したがって、スイッチカバー６の移動が容易である。
【００２４】
（５）テープスイッチ５は、レンズ鏡筒２の先端側の先端筒２ａに取り付けられている。通常、撮影者がカメラ１を保持した撮影姿勢では、右手でカメラボディ３を掴持しながら左手でレンズ鏡筒２の先端側を持っているので、このようにテープスイッチ５が、レンズ鏡筒２の先端側に設けられていると操作しやすい。
【００２５】
（第２実施形態）
以下、本発明の第２実施形態について説明する。第２実施形態は、テープスイッチの構成以外、第１実施形態と同様であるので、同様な部分の説明は省略する。図５は、第２実施形態のテープスイッチ５０を示す図であり、図５（ａ）及び（ｂ）はそれぞれ図３（ａ）及び（ｂ）に対応している。
【００２６】
このテープスイッチ５０は、導電検知式であり、スイッチ基板５０ａに配置された２つの櫛形電極パターン５０ｂ，５０ｃと、これらの電極パターンを接続可能なように電極パターン５０ｂ，５０ｃに対向して配置された導電性ゴム５０ｄと、電極パターン５０ｂ，５０ｃ及び導電性ゴム５０ｄを覆うスイッチゴム５０ｅとを含んでいる。
【００２７】
撮影者がスイッチゴム５０ｅを押すと、導電性ゴム５０ｄが電極パターン５０ｂ，５０ｃに接触し、２つの電極間が通電する。この通電状態を検出回路５０ｇで検出し、前述したレンズ制御回路７へ送信することで各種の機能を動作させる。
【００２８】
本実施形態の導電検知式のテープスイッチ５０は、通電のオン・オフのみを検出するため、例えば、ＡＦスタート、ＡＦロック、ＡＥロック、クロップ切換え等の機能を遂行するのに好適に用いられる。
【００２９】
（変形形態）
以上、説明した実施形態に限定されることなく、以下に示すような種々の変形や変更が可能であり、それらも本発明の範囲内である。
【００３０】
（１）図６は、変形形態のスイッチカバー６０を示す図である。第１実施形態のスイッチカバー６は、レンズ鏡筒２の周方向に移動可能であった。本変形形態のスイッチカバー６０は、図６（ａ）に示すカメラ使用時のスイッチ覆い位置と、図６（ｂ）に示すカメラ不使用時のスイッチ開放位置との間を光軸方向に選択的に移動可能である。本変形形態によると、テープスイッチ５を使用する際はスイッチカバー６を光軸方向Ｚプラス側に移動させてテープスイッチ５を露出させることができる。また、テープスイッチ５の非使用時には、スイッチカバー６を光軸方向Ｚマイナス側に移動させてテープスイッチ５を被覆することができる。
【００３１】
（２）図７は、レンズ鏡筒２の先端筒２ａに複数（２つ）のテープスイッチ５１，５２を配置した例を示している。テープスイッチ５１，５２は、レンズ鏡筒２の周方向の長さが、光軸方向（Ｚ）の長さよりも長い。テープスイッチ５１は、光軸方向（Ｚ）の寸法がテープスイッチ５２よりも相対的に小さく且つ細いものである。テープスイッチ５２は、光軸方向（Ｚ）の寸法がテープスイッチ５１よりも相対的に大きく且つ太いもので、表面に指で触ってわかるパターン５３が形成されている。この変形形態では、パターン５３は、光軸に対して斜めに延びるとともにテープスイッチに沿って離間して配置された多数の凸部又は凹部から構成されている。このように、複数のテープスイッチ５１，５２が配置されているので、複数の機能をテープスイッチ５１，５２に割り当てることができる。また、複数のテープスイッチ５１，５２は、それぞれ異なる太さ及び異なる表面形状を有しているため、撮影者は、ファインダーを覗いた状態でも指先の感覚で、異なるテープスイッチ５１，５２を区別することができる。
【００３２】
（３）図８は、一方のテープスイッチ５１をレンズ鏡筒２の先端筒２ａに配置し、他方のテープスイッチ５２をピントリング２ｂ上に配置した例を示している。例えば、ＡＦオン、ＡＦロック等の機能をテープスイッチ５２に付与することによって、このテープスイッチ操作からほとんど指を動かさずにピントリング２ｂの操作へ移行することができ、より迅速な操作が可能となる。
【００３３】
（４）図９は、レンズ鏡筒２の光軸と平行にテープスイッチ５１，５２を配置した例を示している。テープスイッチ５１，５２は、Ｚ方向の長さがＹ方向の長さよりも長い。テープスイッチを光軸に直交する垂直面上に配置した場合、回転方向には自由度の高いテープスイッチ操作ができるが、光軸方向に手を移動させるとテープスイッチから離れてしまう。しかし、図７に示すように光軸に平行方向にテープスイッチ５１，５２を配置すると、回転方向の自由度はなくなるが、光軸方向の高い自由度が得られる。
【００３４】
（５）上述の複数のテープスイッチを用いる変形形態の場合、各テープスイッチ自体の色及び／又は形を互いに変えることにより、機能を表示するようにしてもよい。
【００３５】
（６）図１０に示すように、レンズ鏡筒２の側面に、各テープスイッチ５１，５２に接近して液晶表示部５１ａ，５２ａを設け、カメラボディ側のカメラ制御回路８を介して各テープスイッチ５１，５２に割り当てられる機能をそれぞれ液晶表示部５１ａ，５２ａに表示することができる。
【００３６】
（７）上述したテープスイッチ５，５０，５１，５２の検知方式は、公知の抵抗膜式、導電検知式であるが、テープ状に形成できるスイッチであれば、どのような方式であってよい。
【００３７】
（８）また、テープスイッチに付与する機能は、レンズ側で完結するもののみならず、ボディ側の機能でもよい。例えば、テープスイッチの位置情報は、ボディ側の電子ダイヤル８ａ，８ｂの回転として認識、動作させることも可能である。
【００３８】
（９）上記においてテープスイッチがレンズ鏡筒２の外周面のほぼ全周の３６０°にわたり延びている例について説明したが、テープスイッチ５は少なくとも９０°にわたり設けられていればよい。この場合、右手でカメラ１を持ち、左手で先端筒２ａを保持することから考えると、カメラ１を正位置で保持した場合、テープスイッチ５は撮影者からみて左側に存在することが好ましい。
【００３９】
（１０）また、第１実施形態で、テープスイッチ５には、絞り値設定機能を割り当てたが、これに限定されない。絞り値設定以外の他の段階的もしくは連続的に変化する量の制御する機能を割り当てることもできる。例えば、ズームレンズのデジタルズームの倍率変更、絞り変更、シャッタースピード選択、ピント調整、露出値補正、ＡＦエリアのフォーカスポイント数の変更等の機能である。
【００４０】
（１１）さらに、第１実施形態でテープスイッチ５に割り当てる機能は、段階的もしくは連続的に変化する量の制御する機能以外の、例えば、第２実施形態のような、ＡＦロック、ＡＦスタート又はＡＥロックのような、オン・オフ操作のみを行う機能を割り当てることもできる。
【００４１】
（１２）第１実施形態でテープスイッチ５に割り当てる機能は、例えば、接触にオン・オフ操作であるＡＦロック機能を割り当て、位置の移動にパワーフォーカス機能を割り当てることもできる。これによると、ＡＦロックとＭＦ割り込みとの間に操作部材の持ち替えなどを行う必要がなく、スムーズに機能を操作することができる。また、テープスイッチ５の配置位置は自在なため、ピントリング２ｂの機構的制約に縛られることなく、操作が可能となる。
【００４２】
（１３）第１実施形態でテープスイッチ５は回転しない先端筒２ａに設けたが、これに限定されず、例えばピントリング２ｂ等の操作環に設けてもよい。
【００４３】
（１４）第１実施形態では、テープスイッチ５の出力に応じて、レンズ制御回路７を介して絞りが制御され、レンズ制御回路７及びカメラ制御回路８を介して絞り値が表示される形態について説明したが、これに限定されない。例えば、レンズ制御回路７のみで制御を行うようにしてもよく、またカメラ制御回路８のみで制御を行うようにしてもよい。
【００４４】
以上、本発明の好適な実施形態及び変形形態について説明した。なお、これらは、適宜組み合わせて用いることもできるが、その詳細な説明は省略する。また、本発明は以上説明した実施形態及び変形形態に限定されることはない。
【図面の簡単な説明】
【００４５】
【図１】本発明の第１実施形態によるレンズ鏡筒を備えたカメラを示す斜視図である。
【図２】図１のレンズ鏡筒及びカメラのブロック図である。
【図３】（ａ）は図１のレンズ鏡筒に設けられるテープスイッチの概略平面図、（ｂ）は図３（ａ）におけるＩＩＩ−ＩＩＩ線に沿った断面図である。
【図４】（ａ）はレンズ鏡筒先端部の光軸横断方向の断面図、（ｂ）はこのレンズ鏡筒先端部の光軸方向の断面図であり、それぞれテープスイッチのスイッチカバーを示している。
【図５】（ａ）は第２実施形態のレンズ鏡筒に設けられる変形形態のテープスイッチの概略平面図、（ｂ）は図５（ａ）におけるＶ−Ｖ線に沿った断面図である。
【図６】レンズ鏡筒先端部の光軸横断方向の断面図であり、（ａ）は変形形態のスイッチカバーがスイッチ覆い位置にある場合、（ｂ）はスイッチ開放位置にある場合を示す。
【図７】レンズ鏡筒上へのテープスイッチの配置例の変形形態を示す部分側面図である。
【図８】レンズ鏡筒上へのテープスイッチの配置例の変形形態を示す部分側面図である。
【図９】レンズ鏡筒上へのテープスイッチの配置例の変形形態を示す部分側面図である。
【図１０】テープスイッチ近傍に表示部を設けた変形形態を示す部分側面図である。
【符号の説明】
【００４６】
１：カメラ、２：レンズ鏡筒、２ａ：先端筒、４：光学系、５：テープスイッチ、６：スイッチカバー、６０：スイッチカバー、７：レンズ制御回路、８：カメラ制御回路、５０：テープスイッチ、５１：テープスイッチ、５２：テープスイッチ
【図１】
2010020250.tif 000003
【図２】
2010020250.tif 000004
【図３】
2010020250.tif 000005
【図４】
2010020250.tif 000006
【図５】
2010020250.tif 000007
【図６】
2010020250.tif 000008
【図７】
2010020250.tif 000009
【図８】
2010020250.tif 000010
【図９】
2010020250.tif 000011
【図１０】
2010020250.tif 000012